(57)【特許請求の範囲】
【請求項１】
吊下げ板、天面板、正面板、底面板、背面板がそれぞれ折り曲げ線を介して順次連設され、
前記吊下げ板の略中央には吊下げ孔が穿設され、
前記天面板の左右端には折り曲げ線を介してそれぞれ舌片が連設され、
前記正面板の左右端には折り曲げ線を介して左側面板と右側面板がそれぞれ連設され、
左右の側面板の端縁には外方に向けて突出係止片が形成され、該突出係止片の突出基部の両端から前記左右の側面板の内方に向けて二本の適宜の長さの切れ易い破断線が平行に延設されており、かつ、これら二本の破断線は互いに接続しておらず、しかも、これら突出係止片および二本の破断線は、左右の側面板に二つずつ左右対称に設けられており、
前記底面板の左右端には折り曲げ線を介してそれぞれ舌片が連設され、
前記背面板の左右端には折り曲げ線を介して左側面折り込み板と右側面折り込み板がそれぞれ連設され、
前記背面板と各左右の側面折り込み板の境界をなす折り曲げ線上には、前記突出係止片を係止するための係止用スリットが穿設され、
前記背面板の下方には前記吊下げ板に穿設された吊下げ孔に重なる背面吊下げ孔が穿設された構成からなるカートンブランクを、
正面板と底面板の境界の折り曲げ線に沿って二つに折り曲げ、吊下げ板の裏面を背面板の裏面に接着剤を介して貼合し、
正面板を起こして左右端が開放された筒状体とし、該筒状体の左右端の各舌片を折り曲げ、ついで左右の側面折り込み板を折り曲げた後、左右の側面板を折り曲げ、左右の突出係止片を該当する左右の係止用スリットに挿入したことを特徴とする、いたずら防止機能を有するハンガーディスプレイカートン。
【請求項２】
前記突出係止片には、該突出係止片の突出基部の一方の端縁ともう一方の端縁を結ぶ折り曲げ線が形成されていることを特徴とする、請求項１記載のいたずら防止機能を有するハンガーディスプレイカートン。
【請求項３】
前記正面板の下端で底面板の境界の略中央の折り曲げ線上には、折り曲げ線と重なる切り込み線が設けられ、この切り込み線の両端から正面板の天面板近傍に向けて、正面板を区画するつなぎ付き引き裂き線が設けられていることを特徴とする、請求項１又は２に記載のいたずら防止機能を有するハンガーディスプレイカートン。
【請求項４】
前記突出係止片には、該突出係止片の突出基部の一方の端ともう一方の端を結ぶ折り曲げ線が形成されていることを特徴とする請求項１〜３のいずれかに記載のいたずら防止機能を有するハンガーディスプレイカートン。
【請求項５】
前記突出係止片の最大幅と、前記係止用スリットの長さとは、同じ長さに設定してあることを特徴とする請求項１〜３のいずれかに記載のいたずら防止機能を有するハンガーディスプレイカートン。
【発明の詳細な説明】
【技術分野】
【０００１】
本発明は、突出係止片を係止スリットに挿入することにより封緘を行うロック形状と該ロック形状を用いたカートン、例えば、ハンガーディスプレイカートンに関するものであり、特には、無理に開封しようとすると突出係止片から簡単に破れる構造を有するロック形状と該ロック形状を用いたいたずら防止機能を有するハンガーディスプレイカートンに関する。
【背景技術】
【０００２】
従来、インクカートリッジ等は、図４、図５に示すようなハンガーディスプレイカートンの形態で販売されているものが多い。
【０００３】
つぎに、その一例を具体的に説明する。図５はハンガーディスプレイカートンの展開平面図である。
【０００４】
側面板（５１）、背面板（５２）、側面板（５３）、正面板（５４）、糊代片（５５）がそれぞれ折り曲げ線を介して順次連設されている。
【０００５】
側面板（５１、５３）の上下端縁には、それぞれ折り曲げ線を介して舌片（５１１、５１２）、舌片（５３１、５３２）が連設されている。
【０００６】
背面板（５２）の上端縁にはそれぞれ折り曲げ線を介して天面板（５２１）、差し込み片（５２２）が順次連設され、背面板（５２）の下端縁には折り曲げ線を介して表底面板（５２３）が連設されている。
【０００７】
正面板（５４）は、他の側面板（５１）、背面板（５２）、側面板（５３）、糊代片（５５）より長く形成されている。
正面板（５４）の上端縁には折り曲げ線を介して折り返し板（５４１）が連設され、下端縁には折り曲げ線を介して裏底面板（５４２）が連設されている。
【０００８】
正面板（５４）の上端縁近傍には吊下げ孔（５４３）が穿設されている。折り返し板（５４１）にも吊下げ孔（５４４）が穿設されている。そしてその位置は、折り返し板（５４１）を正面板（５４）側に折り返した際、正面板に穿設された吊下げ孔（５４３）に重なる位置である。
【０００９】
このような構造からなるブランク（５０）を折り曲げ線に沿って折り曲げ、側面板（５１）の裏面と糊代片（５５）の表面を接着剤を介してスリーブ状に貼着するとともに、折り返し板（５４１）を内側に折り返す。
【００１０】
スリーブを起こし、舌片（５１２、５３２）を折り曲げ、裏底面板（５４２）を折り曲げ、最後に表底面板（５２３）を折り曲げ、裏底面板（５４２）と表底面板（５２３）とを接着剤を介して貼着し、底面を密封する。
【００１１】
開放されている天面側から内容物を収納後、舌片（５１１、５３１）を折り曲げ、天面板（５２１）を折り曲げ、差し込み片（５２２）を正面板（５４）に差し込み、天面の閉鎖が終了する。
【００１２】
この形式のハンガーディスプレイカートンは、底面はホットメルト接着剤等で密封されているが、吊下げ孔がある天面の方は、単純な差し込み片による閉鎖のため容易に蓋を開封することができ、従って、中身を抜き取って再び差し込み片を封緘すると、外からは空箱であることが分からないという問題がある。
【００１３】
また、図６に示すような、係止片（６１８）を係止片を挿入する孔（把手孔（６１６））よりも大きくして、係止片を係止孔に挿入したら抜けにくくするという考案もある（例えば、特許文献１参照）。
【００１４】
上記先行技術文献を示す。
【特許文献１】実開平５−３１１８号公報。
【発明の開示】
【発明が解決しようとする課題】
【００１５】
本発明は、ハンガーディスプレイカートンに関する以上のような問題に鑑みてなされたもので、一度開封すると、カートンが破れてしまい中身を抜き取ったことが明らかに分かる構造のロック形式と該ロック形式を用いたいたずら防止機能を有するハンガーディスプレイカートンを提供することを課題とする。
【課題を解決するための手段】
【００１６】
本発明の請求項１の発明は、側面板から突出して形成された雄型である突出係止片を、前記突出係止片に対応する位置に設けられた雌型である係止用スリットに挿入して、平板紙を折り曲げ成形した後に封緘する差し込み式のロック形状において、前記突出係止片の突出基部の両端から、前記側面板の内方に向けて二本の破断線がそれそれ平行に適宜の長さで延設されていることを特徴とする、いたずら防止機能を有するロック形状である。
【００１７】
このように請求項１記載の発明によれば、側面板から突出して形成された雄型である突出係止片を、前記突出係止片に対応する位置に設けられた雌型である係止用スリットに挿入して、平板紙を折り曲げ成形した後に封緘する差し込み式のロック形状において、前記突出係止片の突出基部の両端から、前記側面板の内方に向けて二本の破断線がそれそれ平行に適宜の長さで延設されているので、突出係止片を係止用スリットから外そうとすると、突出係止片の両端部に形成されている破断線が切れて平板紙が破れてしまう。
【００１８】
また、請求項２の発明は、請求項１の発明において、前記突出係止片には、該突出係止片の突出基部の一方の端ともう一方の端を結ぶ折り曲げ線が形成されていることを特徴とするいたずら防止機能を有するロック形状である。
【００１９】
このように請求項２記載の発明によれば、突出係止片には、該突出係止片の突出基部の一方の端ともう一方の端を結ぶ折り曲げ線が形成されているので、突出係止片を係止用スリットに挿入する際、突出係止片を折り曲げることで破断線に無理な力を与えることなく突出係止片を係止用スリットに挿入することができる。破断線が破れることがない。
【００２０】
また、請求項３の発明は、請求項１又は２の発明において、前記突出係止片の最大幅と、前記係止用スリットの長さとは、同じ長さに設定されていることを特徴とするいたずら防止機能を有するロック形状である。
【００２１】
このように請求項３記載の発明によれば、突出係止片の最大幅と、前記係止用スリットの長さとは、同じ長さに設定されているので、一度突出片を係止用スリットに挿入すると、突出片を係止用スリットから抜きとることは難しい。
【００２２】
また、請求項４の発明は、請求項１、２又は３記載のいたずら防止機能を有するロック形状を用いたカートンである。
【００２３】
また、請求項５の発明は、吊下げ板、天面板、正面板、底面板、背面板がそれぞれ折り曲げ線を介して順次連設され、前記吊下げ板の略中央には吊下げ孔が穿設され、前記天面板の左右端には折り曲げ線を介してそれぞれ舌片が連設され、前記正面板の左右端には折り曲げ線を介して左側面板と右側面板がそれぞれ連設され、左右の側面板の端縁には外方に向けて突出係止片が形成され、該突出係止片の突出基部の両端から前記左右の側面板の内方に向けて二本の適宜の長さの破断線が平行に延設され、前記底面板の左右端には折り曲げ線を介してそれぞれ舌片が連設され、前記背面板の左右端には折り曲げ線を介して左側面折り込み板と右側面折り込み板がそれぞれ連設され、前記背面板と各左右の側面折り込み板の境界をなす折り曲げ線上には、前記突出係止片を係止するための係止用スリットが穿設され、前記背面板の下方には前記吊下げ板に穿設された吊下げ孔に重なる背面吊下げ孔が穿設された構成からなるカートンブランクを、正面板と底面板の境界の折り曲げ線に沿って二つに折り曲げ、吊下げ板の裏面を背面板の裏面に接着剤を介して貼合し、正面板を起こして左右端が開放された筒状体とし、該筒状体の左右端の各舌片を折り曲げ、ついで左右の側面折り込み板を折り曲げた後，左右の側面板を折り曲げ、左右の突出係止片を該当する左右の係止用スリットに挿入したことを特徴とする、いたずら防止機能を有するハンガーディスプレイカートンである。
【００２４】
このように請求項５記載の発明によれば、吊下げ板、天面板、正面板、底面板、背面板がそれぞれ折り曲げ線を介して順次連設され、前記吊下げ板の略中央には吊下げ孔が穿設され、前記天面板の左右端には折り曲げ線を介してそれぞれ舌片が連設され、前記正面板の左右端には折り曲げ線を介して左側面板と右側面板がそれぞれ連設され、左右の側面板の端縁には外方に向けて突出係止片が形成され、該突出係止片の突出基部の両端から前記左右の側面板の内方に向けて二本の適宜の長さの破断線が平行に延設され、前記底面板の左右端には折り曲げ線を介してそれぞれ舌片が連設され、前記背面板の左右端には折り曲げ線を介して左側面折り込み板と右側面折り込み板がそれぞれ連設され、前記背面板と各左右の側面折り込み板の境界をなす折り曲げ線上には、前記突出係止片を係止するための係止用スリットが穿設され、前記背面板の下方には前記吊下げ板に穿設された吊下げ孔に重なる背面吊下げ孔が穿設された構成からなるカートンブランクを、正面板と底面板の境界の折り曲げ線に沿って二つに折り曲げ、吊下げ板の裏面を背面板の裏面に接着剤を介して貼合し、正面板を起こして左右端が開放された筒状体とし、該筒状体の左右端の各舌片を折り曲げ、ついで左右の側面折り込み板を折り曲げた後，左右の側面板を折り曲げ、左右の突出係止片を該当する左右の係止用スリットに挿入したので、突出係止片を係止スリットから外して左右の側面板から開封しようとしても、突出係止片を係止スリットから外そうと試みる際に、破断線が破れてカートンを開封しようとしたことが一目でわかる。
【００２５】
また、請求項６の発明は、請求項５の発明において、前記突出係止片には、該突出係止片の突出基部の一方の端ともう一方の端を結ぶ折り曲げ線が形成されていることを特徴とするいたずら防止機能を有するハンガーディスプレイカートンである。
【００２６】
このように請求項６記載の発明によれば、突出係止片には、該突出係止片の突出基部の一方の端ともう一方の端を結ぶ折り曲げ線が形成されているので、左右の側面板に延設された破断線を切ることなく突出ロック片を対応する係止用スリットに挿入することができる。
【００２７】
また、請求項７の発明は、請求項５又は６の発明において、前記突出係止片は、左右の側面板に二つずつ左右対称に設けられていることを特徴とするいたずら防止機能を有する
ハンガーディスプレイカートンである。
【００２８】
このように請求項７記載の発明によれば、突出係止片が左右の側面板に二つずつ左右対称に設けられているので、カートンを破ることなく開封しようとする際の安全性が高まるし見た目も良い。
【００２９】
また、請求項８の発明は、請求項５、６又は７の発明において、前記正面板の下端で底面板の境界の略中央の折り曲げ線上には、折り曲げ線と重なる切り込み線が設けられ、この切り込み線の両端から正面板の天面板近傍に向けて、正面板を区画するつなぎ付き引き裂き線が設けられていることを特徴とする、いたずら防止機能を有するハンガーディスプレイカートンである。
【００３０】
このように請求項８記載の発明によれば、正面板の下端で底面板の境界の略中央の折り曲げ線上には、折り曲げ線と重なる切り込み線が設けられ、この切り込み線の両端から正面板の天面板近傍に向けて、正面板を区画するつなぎ付き引き裂き線が設けられているので、切り込み線に指等をかけ、正面板を持ち上げるように引き上げると、正面板はつなぎ付き引き裂き線に沿って破れて、収納されているインクカートリッジ等の内容物を容易に取り出すことができる。
【発明の効果】
【００３１】
このように本発明のいたずら防止機能を有するハンガーディスプレイカートンは、ロック形状を工夫したことで簡単にロック封緘でき、開けようとすると、破断線に沿ってカートンが破れ易く、いたずらの状態を容易に判断することができる。
中身を抜き取ったことが明らかにわかる構造のカートンにすることにより、心理的に盗難等を抑止できる。
【発明を実施するための最良の形態】
【００３２】
本発明を一実施形態に基づいて以下に詳細に説明する。
図１は、本発明のいたずら防止機能を有するロック形状の一実施例を示す、（ａ）は雄型である突出係止片の説明図であり、（ｂ）は雌型である係止スリットの説明図である。
図１において、１は雄型である突出係止片を示し、２は雌型である係止スリットを示し、３は突出基部を示す。また、ａ、ｂは破断線、ｅは折り曲げ線を示す。
【００３３】
破断線は、ミシン目状の不連続の切断線、半切れ線等切れ易い線であれば特に指定されない。
【００３４】
Ａは突出基部の一方の端を表し、Ｂは突出基部のもう一方の端を表す。また、雄型の突出係止片の最大幅Ｍと雌型の係止スリットの長さＮを同じ長さ（Ｍ＝Ｎ）にして突出係止片が係止スリットから抜けにくくすることが肝要である。
突出係止片の最大幅Ｍが係止スリットの長さＮより長くなっても（Ｍ＞Ｎ）構わない。
【００３５】
つぎにこのロック形状を用いたハンガーディスプレイカートンについて説明する（図２、図３参照）。
【００３６】
吊下げ板（１１）、天面板（１２）、正面板（１３）、底面板（１４）、背面板（１５）がそれぞれ折り曲げ線を介して順次連設されている。
【００３７】
吊下げ板（１１）の略中央には吊下げ孔（１１１）が穿設されている。
【００３８】
天面板（１２）の左右端には折り曲げ線を介してそれぞれ舌片（１２１、１２２）が連
設されている。
【００３９】
正面板（１３）の左右端には折り曲げ線を介して左側面板（１３１）と右側面板（１３２）がそれぞれ連設されている。左右の側面板の端縁には外方に向けて突出係止片（１３３、１３４）が形成されている。また、突出係止片（１３３、１３４）の突出基部の一方の端（Ａ）と、もう一方の端（Ｂ）の二方よりそれぞれ内方に向けて適宜の長さの破断線（ａ、ｂ）が平行に延設されている。
なお、突出係止片（１３３、１３４）は、左右の側面板に二つずつ左右対称に設けられている。
【００４０】
底面板（１４）の左右端には折り曲げ線を介してそれぞれ舌片（１４１、１４２）が連設されている。
【００４１】
背面板（１５）の左右端には折り曲げ線を介して左側面折り込み板（１５１）と右側面折り込み板（１５２）がそれぞれ連設されている。
【００４２】
背面板（１５）と各左右の側面折り込み板（１５１、１５２）の境界をなす折り曲げ線上には、前記突出係止片（１３３、１３４）を係止するための係止用スリット（ｃ、ｄ）が穿設されている。
係止用スリット（ｃ、ｄ）の長さは、突出係止片（１３３、１３４）の最大幅とは同じ長さになるように穿設されている。
【００４３】
背面板（１５）の下方には、吊下げ板（１１）に穿設された吊下げ孔（１１１）に重なる背面吊下げ孔（１５３）が穿設されている。
【００４４】
正面板（１３）の下端で底面板（１４）との境界の略中央の折り曲げ線上に、折り曲げ線と重ねて適宜の長さの切り込み線（ｆ）を設けておく。
そして、この切り込み線（ｆ）の両端から正面板（１３）の天面板（１２）近傍に向けて、正面板（１３）を区画するつなぎ付き引き裂き線（ｇ）を設けておく。このような切り込み線（ｆ）やつなぎ付き引き裂き線（ｇ）を正面板（１３）に設けておくことにより、内容物の取り出しが容易になる。
【００４５】
つぎに、このような構成からなるカートンブランク（１０）を、ハンガーディスプレイカートン（１００）に組み立てる手順の一例を説明する。
【００４６】
まず、カートンブランク（１０）を正面板（１３）と底面板（１４）の境界の折り曲げ線に沿って二つに折り曲げ、吊下げ板（１１）の裏面を背面板（１５）の裏面に接着剤を介して貼合する。
【００４７】
正面板（１３）を起こして左右端が開放された筒状体とし、該筒状体の左右端の各舌片（１２１、１２２、１４１、１４２）を折り曲げる。
ついで左右の側面折り込み板（１５１、１５２）を折り曲げた後、左右の側面板（１３１、１３２）を折り曲げ、左右の突出係止片（１３３、１３４）を該当する左右の係止用スリット（ｃ、ｄ）に挿入して、いたずら防止機能を有するハンガーディスプレイカートン（１００）が組み上がる。なお、必要に応じて筒状体に起こした際、内容物を筒状体の中に挿入する。                        
【００４８】
内容物をハンガーディスプレイカートン（１００）から取り出すには、正面板（１３）に設けた切り込み線（ｆ）に手などをかけ、つなぎ付き引き裂き線（ｇ）に沿って正面板（１３）を引き裂くことにより行う。
【００４９】
ハンガーディスプレイカートン（１００）の側面にあたる左右の側面版に設けた突出係止片（１３３、１３４）を係止用スリット（ｃ、ｄ）から外して内容物を取り出そうとしても、外す際に破断線（ａ、ｂ）で左右の側面板（１３１、１３２）が破れてしまいカートンを破壊することなく内容物を取り出すことは不可能である。
【図面の簡単な説明】
【００５０】
【図１】本発明のロック式いたずら防止カートンに使用する、（ａ）は雄型である突出ロック片の一実施例を示す、拡大説明図であり、（ｂ）は雌型である係止スリットの一実施例を示す、拡大説明図である。
【図２】本発明のロック式いたずら防止カートンの一実施例を示す、斜視説明図である。
【図３】図２の展開説明図である。
【図４】従来のハンガーディスプレイカートンの一例を示す、斜視説明図である。
【図５】図４の展開説明図である。
【図６】従来のカートンの一例を示す、斜視説明図である。
【符号の説明】
【００５１】
１‥‥雄型、突出係止片
２‥‥雌型、係止スリット
３‥‥突出係止片の突出基部
１０‥‥カートンブランク
１１‥‥吊下げ板
１２‥‥天面板
１３‥‥正面板
１４‥‥底面板
１５‥‥背面板
１００‥‥ハンガーディスプレイカートン
１１１‥‥吊下げ孔
１２１‥‥舌片
１２２‥‥舌片
１３１‥‥左側面板
１３２‥‥右側面板
１３３‥‥突出ロック片
１３４‥‥突出ロック片
１４１‥‥舌片
１４２‥‥舌片
１５１‥‥左側面折り込み板
１５２‥‥右側面折り込み板
１５３‥‥背面吊下げ孔
ａ‥‥破断線
ｂ‥‥破断線
ｃ‥‥係止用スリット
ｄ‥‥係止用スリット
ｅ‥‥折り曲げ線
ｆ‥‥切り込み線
ｇ‥‥つなぎ付き引き裂き線
５１‥‥側面板
５２‥‥背面板
５３‥‥側面板
５４‥‥正面板
５５‥‥糊代片
５１１‥‥舌片
５１２‥‥舌片
５２１‥‥天面板
５２２‥‥差し込み片
５２３‥‥表底面板
５３１‥‥舌片
５３２‥‥舌片
５４１‥‥折り返し片
５４２‥‥裏底面版
５４３‥‥吊下げ孔
５４４‥‥吊下げ孔
６１６‥‥把手孔
６１８‥‥係止片
【図１】
0004830428.tif 000002
【図２】
0004830428.tif 000003
【図３】
0004830428.tif 000004
【図４】
0004830428.tif 000005
【図５】
0004830428.tif 000006
【図６】
0004830428.tif 000007